(57)【要約】【課題】  出版社の業務負担の軽減を図る。【解決手段】  制作依頼者は自身の依頼者端末３を利用して注文内容（書籍名、章、部数）を入力し、この注文内容が依頼者端末３から出版管理サーバ２へ送信される。そして、出版管理サーバにおいて、受信した注文内容から印刷所に対して出版物を発注するための発注内容を生成する。この発注内容が出版管理サーバ２から印刷所端末４へ送信する。【選択図】    図１
2005038286.tif 000002
【特許請求の範囲】
【請求項１】
制作依頼者側に設けられた依頼者端末と印刷所側に設けられた印刷所端末と前記依頼者端末及び前記印刷所端末に通信可能に接続された出版社の出版管理サーバとを有するオンデマンド出版システムにおいて、
前記依頼者端末は、
出版物の注文内容を入力する入力手段と、
前記入力手段により入力される前記注文内容を前記出版管理サーバへ送信する注文手段と、
を備えており、
前記出版管理サーバは、
前記依頼者端末から前記出版物の注文内容を受信する注文受付手段と、
前記注文受付手段により受信される前記注文内容に基づいて前記印刷所に対して出版物を発注する発注内容を生成する発注内容生成手段と、
前記発注内容生成手段により生成される前記発注内容を前記印刷所端末へ送信する発注手段と、
を備えており、
前記印刷所端末は、
前記出版管理サーバから前記出版物の発注内容を受信する発注受付手段
を備えていることを特徴とするオンデマンド出版システム。
【請求項２】
前記印刷所が複数あり、
前記入力手段は出版に関する優先内容を入力することが可能であり、
前記出版管理サーバは、前記入力手段により入力される前記出版に関する優先内容に基づいて前記出版物の発注内容を送信する印刷所を選定する印刷所選定手段をさらに備えており、
前記発注手段は、前記印刷所選定手段により選定される前記印刷所に対して前記発注内容を送信することを特徴とする請求項１に記載のオンデマンド出版システム。
【請求項３】
制作依頼者側に設けられた依頼者端末と印刷所側に設けられた印刷所端末と前記依頼者端末及び前記印刷所端末に通信可能に接続された出版社の出版管理サーバとにより行うオンデマンド出版方法において、
前記依頼者端末は、
出版物の注文内容を入力する入力手順と、
前記入力手順において入力される前記注文内容を前記出版管理サーバへ送信する注文手順と、
を実行し、
前記出版管理サーバは、
前記依頼者端末から前記出版物の注文内容を受信する注文受付手順と、
前記注文受付手順において受信される前記注文内容に基づいて前記印刷所に対して出版物を発注する発注内容を生成する発注内容生成手順と、
前記発注内容生成手順において生成される前記発注内容を前記印刷所端末へ送信する発注手順と、
を実行し、
前記印刷所端末は、
前記出版管理サーバから前記出版物の発注内容を受信する発注受付手順
を実行することを特徴とするオンデマンド出版方法。
【請求項４】
制作依頼者側に設けられた依頼者端末としてのコンピュータを、
出版物の注文内容を入力する入力手段、及び
前記入力手段により入力される前記注文内容を出版管理サーバとしてのコンピュータへ送信する注文手段、
して機能させ、
出版社が管理する出版管理サーバとしてのコンピュータを、
前記依頼者端末としてのコンピュータから前記出版物の注文内容を受信する注文受付手段、
前記注文受付手段により受信される前記注文内容に基づいて印刷所に対して出版物を発注する発注内容を生成する発注内容生成手段、及び
前記発注内容生成手段により生成される前記発注内容を印刷所端末としてのコンピュータへ送信する発注手段、
として機能させ、
印刷所側に設けられた印刷所端末としてのコンピュータを、
前記出版管理サーバとしてのコンピュータから前記出版物の発注内容を受信する発注受付手段
として機能させることを特徴とするプログラム。
【発明の詳細な説明】
【技術分野】
【０００１】
本発明は、制作依頼者の要望に合わせて印刷・製本を行い、制作依頼者に配送するオンデマンド出版システム、オンデマンド出版方法、及びプログラムに関する。
【背景技術】
【０００２】
昨今、園芸、動物飼育、学習参考書・問題集などの出版物には、購入者が出版物の一部のみの購入を希望する場合がある。このような購入者の希望に応えるシステムが開示されている（例えば、特許文献１参照）。
このシステムの概略は次のとおりである。出版物の制作者側のシステムは、ユニット単位に素材化した出版内容を記憶する。制作依頼者は、自身の端末を利用してユニット単位で一又は複数のユニットを注文する。制作者側のシステムは、ユニット単位に素材化した出版内容と制作依頼者の注文内容とに基づいて出版物の組版を行う。この開示されているシステムにおいては、制作依頼者から出版物の注文を受ける者と出版物の印刷を行う者とが同じになっている。
【特許文献１】特開２００２−０１５１９０号公報
【発明の開示】
【発明が解決しようとする課題】
【０００３】
ところが、出版社が制作依頼者から出版物の注文を受け付け、注文を受けた出版社が印刷所に印刷を依頼する形態が考えられる。このような形態の場合、出版社が制作依頼者からＷｅｂにより出版物の注文を受けたとしても、出版社は制作依頼者からの注文内容に基づいて印刷所に印刷を依頼する依頼表を作成する必要がある。
【０００４】
そこで、本発明は、出版社の業務負担の軽減を図ることが可能なオンデマンド出版システム、オンデマンド出版方法、及びプログラムを提供することを目的とする。
【課題を解決するための手段】
【０００５】
本発明のオンデマンド出版システムは、制作依頼者側に設けられた依頼者端末と印刷所側に設けられた印刷所端末と前記依頼者端末及び前記印刷所端末に通信可能に接続された出版社の出版管理サーバとを有するオンデマンド出版システムにおいて、前記依頼者端末は、出版物の注文内容を入力する入力手段と、前記入力手段により入力される前記注文内容を前記出版管理サーバへ送信する注文手段と、を備えており、前記出版管理サーバは、前記依頼者端末から前記出版物の注文内容を受信する注文受付手段と、前記注文受付手段により受信される前記注文内容に基づいて前記印刷所に対して出版物を発注する発注内容を生成する発注内容生成手段と、前記発注内容生成手段により生成される前記発注内容を前記印刷所端末へ送信する発注手段と、を備えており、前記印刷所端末は、前記出版管理サーバから前記出版物の発注内容を受信する発注受付手段を備えていることを特徴とする。
これによれば、出版管理サーバにおいて、依頼者端末を受け付けた注文内容に基づいて印刷所に対する発注内容が発注内容生成手段により生成され、この生成された発注内容が印刷所端末へ送信される。従って、出版管理サーバを管理する出版社で働く社員自らが制作依頼者からの注文内容に基づいて印刷所へ発注する発注内容を作成し、作成した発注内容を印刷所へ発送する必要がなくなり、出版社の業務負担の軽減が図られる。
【０００６】
上記オンデマンド出版システムにおいて、前記印刷所が複数あり、前記入力手段は出版に関する優先内容を入力することが可能であり、前記出版管理サーバは、前記入力手段により入力される前記出版に関する優先内容に基づいて前記出版物の発注内容を送信する印刷所を選定する印刷所選定手段をさらに備えており、前記発注手段は、前記印刷所選定手段により選定される前記印刷所に対して前記発注内容を送信することを特徴とする。
これによれば、制作依頼者が出版に関する優先内容を入力し、この入力された優先内容に基づいて発注先の印刷所が印刷所決定手段により決定される。従って、制作依頼者が希望する優先内容で出版物の入手することが可能になる。
【０００７】
また、本発明のオンデマンド出版方法は、制作依頼者側に設けられた依頼者端末と印刷所側に設けられた印刷所端末と前記依頼者端末及び前記印刷所端末に通信可能に接続された出版社の出版管理サーバとにより行うオンデマンド出版方法において、前記依頼者端末は、出版物の注文内容を入力する入力手順と、前記入力手順において入力される前記注文内容を前記出版管理サーバへ送信する注文手順と、を実行し、前記出版管理サーバは、前記依頼者端末から前記出版物の注文内容を受信する注文受付手順と、前記注文受付手順において受信される前記注文内容に基づいて前記印刷所に対して出版物を発注する発注内容を生成する発注内容生成手順と、前記発注内容生成手順において生成される前記発注内容を前記印刷所端末へ送信する発注手順と、を実行し、前記印刷所端末は、前記出版管理サーバから前記出版物の発注内容を受信する発注受付手順を実行することを特徴とする。
これによれば、出版管理サーバにおいて、依頼者端末を受け付けた注文内容に基づいて印刷所に対する発注内容が発注内容生成手順において生成され、この生成された発注内容が印刷所端末へ送信される。従って、出版管理サーバを管理する出版社で働く社員自らが制作依頼者からの注文内容に基づいて印刷所へ発注する発注内容を作成し、作成した発注内容を印刷所へ発送する必要がなくなり、出版社の業務負担の軽減が図られる。
【０００８】
また、本発明のプログラムは、制作依頼者側に設けられた依頼者端末としてのコンピュータを、出版物の注文内容を入力する入力手段、及び前記入力手段により入力される前記注文内容を出版管理サーバとしてのコンピュータへ送信する注文手段、して機能させ、出版社が管理する出版管理サーバとしてのコンピュータを、前記依頼者端末としてのコンピュータから前記出版物の注文内容を受信する注文受付手段、前記注文受付手段により受信される前記注文内容に基づいて印刷所に対して出版物を発注する発注内容を生成する発注内容生成手段、及び前記発注内容生成手段により生成される前記発注内容を印刷所端末としてのコンピュータへ送信する発注手段、として機能させ、印刷所側に設けられた印刷所端末としてのコンピュータを、前記出版管理サーバとしてのコンピュータから前記出版物の発注内容を受信する発注受付手段として機能させることを特徴とする。
これによれば、出版管理サーバとしてのコンピュータにおいて、依頼者端末を受け付けた注文内容に基づいて印刷所に対する発注内容が発注内容生成手段により生成され、この生成された発注内容が印刷所端末へ送信される。従って、出版管理サーバを管理する出版社で働く社員自らが制作依頼者からの注文内容に基づいて印刷所へ発注する発注内容を作成し、作成した発注内容を印刷所へ発送する必要がなくなり、出版社の業務負担の軽減が図られる。
【発明の効果】
【０００９】
本発明によれば、出版管理サーバにおいて、依頼者端末を受け付けた注文内容に基づいて印刷所に対する発注内容が生成され、この生成された発注内容が印刷所端末へ送信されるため、出版社の業務負担の軽減が図られる。
【発明を実施するための最良の形態】
【００１０】
以下、本発明の好適な実施の形態について図面を参照しつつ説明する。
図１は、本実施の形態におけるオンデマンド出版システムの構成の概略を示す図である。オンデマンド出版システム１は、ネットワーク５に夫々接続された、出版管理サーバ２と、依頼者端末３（３ａ、３ｂ）と、印刷所端末４（４ａ、４ｂ、４ｃ）とを有する。尚、依頼者端末の数及び印刷所端末の数は、夫々、制作依頼者の数及び印刷所の数に対応しており、特に、それらの数は限定されるものではない。
【００１１】
依頼者端末３は、制作依頼者（例えば、学習塾や予備校など）側に設けられたパーソナルコンピュータなどの装置であり、図２に示すような機能を有する。図２は、依頼者端末３の機能を説明するための機能図である。
依頼者端末３は、図２に示すように、入力部３０１と、Ｗｅｂページ要求部３０２と、Ｗｅｂページ受信部３０３、表示部３０４と、依頼者登録情報送信部３０５と、ログイン情報送信部３０６と、注文部３０７と、依頼者端末３をネットワーク５に接続するインターフェース３０８とを有する。
【００１２】
入力部３０１は、制作依頼者が各種情報を入力するために利用されるものであり、キーボードやマウスなどにより構成されている。
Ｗｅｂページ要求部３０２は、出版管理サーバ２に対してネットワーク５経由でＷｅｂページの転送を要求する。
Ｗｅｂページ受信部３０３は、ネットワーク５経由で出版管理サーバ２からＷｅｂページのデータを受信する。
表示部３０４は、液晶ディスプレイなどにより構成される表示装置である。この表示部３０４には、例えば、Ｗｅｂページ受信部３０３により受信されるＷｅｂページが表示される。
【００１３】
依頼者登録情報送信部３０５は、出版管理サーバ２に対して、制作依頼者が出版管理サーバ２に自己を登録する際に制作依頼者が入力部３０１を利用して入力した内容（依頼者登録情報）をネットワーク５経由で送信する。依頼者登録情報として、制作依頼者のＩＤやパスワード、出版物の配送先の氏名又は名称、出版物の配送先の住所、出版物の配送先の電話番号などがある。
ログイン情報送信部３０６は、出版管理サーバ２に対して、制作依頼者が入力部３０１を利用して入力したログイン情報（制作依頼者自身のＩＤとパスワード）をネットワーク５経由で送信する。
【００１４】
注文部３０７は、出版管理サーバ２に対して、制作依頼者が入力部３０１を利用して入力した注文内容と優先内容とをネットワーク５経由で送信する。本実施の形態の注文内容として、出版を依頼する書籍の書籍名、その書籍の中の希望する章、部数などがある。ここで、優先内容は、制作依頼者が出版に関して価格、納期、品質の何れを優先して出版物を入手したいかを示した内容である。この優先内容に基づいて、出版管理サーバ２は発注先の印刷所を選定する。
【００１５】
出版管理サーバ２は、出版社が管理するサーバであり、図３に示すような機能を有する。図３は、出版管理サーバ２の機能を説明するための機能図である。
出版管理サーバ２は、図３に示すように、Ｗｅｂページデータベース２０１と、Ｗｅｂページ要求受信部２０２と、Ｗｅｂページ提供部２０３と、制作依頼者データベース２０４と、依頼者登録情報取得部２０５と、依頼者登録情報登録部２０６と、ログイン情報取得部２０７と、制作依頼者認証部２０８と、書籍情報データベース２０９と、価格情報データベース２１０と、注文受付部２１１と、発注先選定部２１２と、発注内容生成部２１３と、発注部２１４と、出版管理サーバ２をネットワーク５に接続するインターフェース２１５とを有する。
【００１６】
Ｗｅｂページデータベース２０１は、各種Ｗｅｂページを管理・格納している。このＷｅｂページデータベース２０１には、出版社のホームページ、制作依頼者が出版管理サーバ２に登録する際に利用される登録ページ、制作依頼者が出版物を注文する際に利用される注文ページ（書籍入力ページ、章・部数入力ページ、優先内容入力ページ）などがある。
Ｗｅｂページ要求受信部２０２は、ネットワーク５経由で依頼者端末３からＷｅｂページの転送要求を受信する。
Ｗｅｂページ提供部２０３は、Ｗｅｂページデータベース２０１を参照して、Ｗｅｂページ要求受信部２０２による受信結果に基づいて、依頼者端末３が転送要求したＷｅｂページのデータを要求元の依頼者端末３へ転送する。
【００１７】
制作依頼者データベース２０４は、制作依頼者の依頼者登録情報を制作依頼者毎に管理・格納している。この制作依頼者データベース２０４においては、制作依頼者のＩＤ、パスワード、出版物の配送先の氏名又は名称、出版物の配送先の住所、出版物の配送先の電話番号などが関連付けて管理・格納されている。
依頼者登録情報取得部２０５は、制作依頼者が依頼者端末３を利用して入力した依頼者登録情報を依頼者端末３からネットワーク５経由で取得し、取得した依頼者登録情報を依頼者登録情報登録部２０６へ出力する。
依頼者登録情報登録部２０６は、依頼者登録情報取得部２０５から渡される依頼者登録情報を制作依頼者データベース２０４へ格納する。
【００１８】
ログイン情報取得部２０７は、制作依頼者が依頼者端末３を利用して入力したログイン情報（ＩＤ、パスワード）を依頼者端末３からネットワーク５経由で取得し、取得したログイン情報を制作依頼者認証部２０８及び発注内容生成部２１３へ出力する。
制作依頼者認証部２０８は、制作依頼者データベース２０４を参照して、ログイン情報取得部２０７から受け取るログイン情報（ＩＤ、パスワード）に基づいてログインしようとする制作依頼者が正規の制作依頼者であるかを認証する。制作依頼者認証部２０８は、正規の制作依頼者であればＷｅｂページ提供部２０３に対して依頼者端末３へ注文ページ（書籍入力ページ、章・部数入力ページ、優先内容入力ページ）のデータを送信することを許可する。
【００１９】
書籍情報データベース２０９は、書籍の夫々について、各章のページ数を管理・格納する。
価格情報データベース２１０は、印刷所ごとに、書籍の夫々について出版社が印刷所に対して支払うページ数あたりの価格を管理・格納する（印刷所向けの価格情報）。また、価格情報データベース２１０は、印刷所ごとに、書籍の夫々について制作依頼者が出版社に対して支払うページ数あたりの価格を管理・格納する（制作依頼者向けの価格情報）。
尚、書籍情報データベース２０９の作成／更新は、例えば、新規の書籍が刊行される度に或いは一定期間経過する度に出版社自らがデータを登録することにより行われる。また、価格情報データベース２１０の作成／更新は、例えば、価格改定の度に出版社自らが行う。
【００２０】
注文受付部２１１は、制作依頼者が依頼者端末３を利用して入力した注文内容（出版を依頼する書籍の書籍名、その書籍の中の希望する章、部数など）と優先内容とを依頼者端末３からネットワーク５経由で受信する。そして、注文受付部２１１は、受信した注文内容を発注内容生成部２１３へ出力し、受信した優先内容を発注先選定部２１２へ出力する。
発注先選定部２１２は、注文受付部２１１から渡される優先内容に基づいて、発注先の印刷所を選定し、選定した印刷所の情報を発注内容生成部２１３と発注部２１４とへ出力する。但し、本実施の形態においては、発注先選定部２１２は、優先内容として制作依頼者が価格を選択していた場合には、発注先として印刷所端末４ａを備える印刷所を選ぶ。また、優先内容として制作依頼者が納期を選択していた場合には、発注先として印刷端末４ｂを備える印刷所を選ぶ。さらに、優先内容として制作依頼者が品質を選択していた場合には、発注先として印刷所端末４ｃを備える印刷所を選ぶ。
【００２１】
発注内容生成部２１３は、制作依頼者データベース２０４を参照して、ログイン情報取得部２０７から渡されるログイン情報（ＩＤ、パスワード）に基づいて、出版物の配送先の氏名又は名称と出版物の配送先の住所と出版物の配送先の電話番号とを特定する。発注内容生成部２１３は、書籍情報データベース２０９を参照して、注文受付部２１１から渡される注文内容に含まれる書籍名とその書籍の中の希望する章に基づいて、一部当りのページ数を特定する。発注内容生成部２１３は、価格情報データベース２１０の印刷所向けの価格情報を参照して、発注先選定部２１２による選定結果と特定した１部当りのページ数とに基づいて、一部当りの価格（出版社が印刷所に対して支払う価格）を算出し、さらに総部数の価格を算出する。続いて、発注内容生成部２１３は、注文受付部２１１から渡された注文内容（書籍名、その書籍の中の希望する章、部数など）と特定した出版物の配送先の氏名又は名称、住所、及び電話番号と算出した価格（一部当りの価格と総部数の価格）とを含む発注内容を生成する。そして、発注内容生成部２１３は、生成した発注内容を発注部２１４へ出力する。
発注部２１４は、発注先選定部２１２により選定される印刷所の印刷所端末４に対して、発注内容生成部２１３から渡される発注内容をネットワーク５経由で送信する。
【００２２】
印刷所端末４は、印刷所側に設けられたパーソナルコンピュータなどの装置であり、図４に示すような機能を有する。図４は、印刷所端末４の機能を説明するための機能図である。
印刷所端末４は、図４に示すように、出版物データベース４０１と、発注受付部４０２と、出版物データ生成部４０３と、印刷所端末４をネットワーク５に接続するインターフェース４０４とを有する。
【００２３】
出版物データベース４０１は、本実施の形態においては、出版物のデータを書籍の章単位で管理・格納する。
発注受付部４０２は、出版物の発注内容を出版管理サーバ２からネットワーク５経由で受信し、受信した発注内容を出版物データ生成部４０３へ出力する。
出版物データ生成部４０３は、発注受付部４０２から渡される発注内容に基づいて、制作依頼者が入力した書籍の書籍名と章とに対応したデータを出版物データベース４０１から取り出す。続いて、出版物データ生成部４０３は、取り出したデータに基づいて制作依頼のあった出版物の印刷データを生成する。そして、出版物データ生成部４０３は、生成した印刷データと発注内容に含まれる部数とをプリンタ４００へ出力する。
プリンタ４００は、出版物データ生成部４０３から渡される部数分、印刷データに基づいて印刷媒体に印刷を行う。その後、印刷所において製本がなされ、製本された出版物が発注内容に含まれる出版物の配送先へ配送される。
【００２４】
以下、上述した構成のオンデマンド出版システム１における、制作依頼者を出版管理サーバ２に新規に登録する制作依頼者登録処理について図５を参照しつつ説明する。図５は、オンデマンド出版システム１において行われる制作依頼者登録処理の流れを示すシーケンス図である。
【００２５】
まず、制作依頼者は、自身の依頼者端末３の入力部３０１を利用して出版社のホームページのＵＲＬを入力する（ステップＳ１０１）。この入力操作の後、依頼者端末３のＷｅｂページ要求部３０２は出版管理サーバ２に対して出版社のホームページの転送要求を行う（ステップＳ１０２）。
出版管理サーバ２のＷｅｂページ要求受信部２０２が依頼者端末３からホームページの転送要求を受信すると、Ｗｅｂページ提供部２０３は、Ｗｅｂページデータベース２０１を参照して、転送要求を行った依頼者端末３に対して出版社のホームページのデータを転送する（ステップＳ１０３）。
【００２６】
依頼者端末３のＷｅｂページ受信部３０３が出版管理サーバ２からホームページのデータを受信すると、受信結果に基づいて、図６に一例を示す出版社のホームページが表示部３０４に表示される（ステップＳ１０４）。
図６は出版社のホームページの一例を示す図である。出版社のホームページには、制作依頼者が自己を登録する際に押下する“新規登録”ボタン６０１が含まれている。また、ホームページには、出版物を注文する際に自己のＩＤを入力するためのＩＤ入力欄６０２と自己のパスワードを入力するためのパスワード入力欄６０３とが含まれているとともに、出版物を購入するためのページへ移行する際に押下する“注文ページ”ボタン６０４が含まれている。
【００２７】
制作依頼者は、依頼者端末３の表示部３０４に表示された出版社のホームページ上の“新規登録”ボタン６０１を入力部３０１を構成するマウスを利用して押下する（ステップＳ１０５）。この入力操作の後、依頼者端末３のＷｅｂページ要求部３０３は出版管理サーバ２に対して登録ページの転送要求を行う（ステップＳ１０６）。
出版管理サーバ２のＷｅｂページ要求受信部２０２が依頼者端末３から登録ページの転送要求を受信すると、Ｗｅｂページ提供部２０３は、Ｗｅｂページデータベース２０１を参照して、依頼者端末３に対して登録ページのデータを転送する（ステップＳ１０７）。
【００２８】
依頼者端末３のＷｅｂページ受信部３０５が出版管理サーバ２から登録ページのデータを受信すると、受信結果に基づいて、図７に一例を示す登録ページが表示部３０４に表示される（ステップＳ１０８）。
図７は登録ページの一例を示す図である。登録ページには、出版管理サーバ２に新規に登録しようとする制作依頼者が自己のＩＤを入力するためのＩＤ入力欄６１１と自己のパスワードを入力するためのパスワード入力欄６１２とが含まれている。また、登録ページには、新規の制作依頼者が出版物の配送先の氏名又は名称を入力するための氏名・名称入力欄６１３と、出版物の配送先の住所を入力するための住所入力欄６１４と、出版物の配送先の電話番号を入力するための電話番号入力欄６１５とが含まれている。さらに、登録ページには入力情報を出版管理サーバ２へ送信する際に新規の制作依頼者が押下する“登録”ボタン６１６が含まれている。
【００２９】
制作依頼者は、依頼者端末３の表示部３０４に表示された登録ページのＩＤ入力欄６１１、パスワード入力欄６１２、氏名・名称入力欄６１３、住所入力欄６１４、及び電話番号入力欄６１５の夫々に、ＩＤ、パスワード、氏名又は名称、住所、及び電話番号を入力部３０１を構成するキーボードを利用して入力する。つまり、制作依頼者は、出版管理サーバ２に登録する依頼者登録情報を入力する。その後、制作依頼者は、登録ページ上の“登録”ボタン６１６を入力部３０１を構成するマウスを利用して押下する（ステップＳ１０９）。この入力操作の後、依頼者端末３の依頼者登録情報送信部３０５は出版管理サーバ２に対して入力された依頼者登録情報（ＩＤ、パスワード、氏名又は名称、住所、電話番号）を送信する（ステップＳ１１０）。
【００３０】
出版管理サーバ２の依頼者登録情報取得部２０５が依頼者端末３から依頼者登録情報をネットワーク５経由で受信すると、依頼者登録情報登録部２０６は、依頼者登録情報取得部２０５から渡された依頼者登録情報に基づいて、制作依頼者のＩＤとパスワードと出版物の配送先の氏名又は名称と出版物の配送先の住所と出版物の配送先の電話番号とを関連付けて制作依頼者データベース２０４に登録する（ステップＳ１１１）。
この一連の処理により、新規の制作依頼者の依頼者登録情報が出版管理サーバ２の制作依頼者データベース２０４に管理・格納されることになる。
【００３１】
以下、上述した構成のオンデマンド出版システム１における、制作依頼者による出版物の出版物注文処理について図８及び図９を参照しつつ説明する。図８及び図９は、オンデマンド出版システム１において行われる出版物注文処理の流れを示すシーケンス図である。
【００３２】
まず、制作依頼者は、自身の依頼者端末３の入力部３０１を利用して出版社のホームページのＵＲＬを入力する（ステップＳ２０１）。この入力操作の後、依頼者端末３のＷｅｂページ要求部３０２は出版管理サーバ２に対して出版社のホームページの転送要求を行う（ステップＳ２０２）。
出版管理サーバ２のＷｅｂページ要求受信部２０２が依頼者端末３からホームページの転送要求を受信すると、Ｗｅｂページ提供部２０３は、Ｗｅｂページデータベース２０１を参照して、転送要求を行った依頼者端末３に対して出版社のホームページのデータをネットワーク５経由で転送する（ステップＳ２０３）。
【００３３】
依頼者端末３のＷｅｂページ受信部３０３が出版管理サーバ２からホームページのデータを受信すると、受信結果に基づいて、上述した図６に一例を示す出版社のホームページが表示部３０４に表示される（ステップＳ２０４）。
制作依頼者は、依頼者端末３の表示部３０４に表示されたホームページ上のＩＤ入力欄６０２及びパスワード入力欄６０３の夫々に、自身のＩＤ及びパスワードを入力部３０１を構成するキーボードを利用して入力する。その後、制作依頼者は、ホームページ上の“注文ページ”ボタン６０４を入力部３０１を構成するマウスを利用して押下する（ステップＳ２０５）。この入力操作の後、依頼者端末３のログイン情報送信部３０６は出版管理サーバ２に対してログイン情報（入力されたＩＤ、パスワード）をネットワーク５経由で送信する（ステップＳ２０６）。
【００３４】
出版管理サーバ２のログイン情報取得部２０７が依頼者端末３からログイン情報（ＩＤ、パスワード）を受信すると、制作依頼者認証部２０８は、制作依頼者データベース２０４を参照して、制作依頼者の認証を行う（ステップＳ２０７）。但し、このシーケンスにおいては、正規の制作依頼者であると判断する。尚、正規の制作依頼者でないと判断された場合には、依頼者端末３からの接続（ログイン）を受け付けずに出版物注文処理を終了する。
出版管理サーバ２のＷｅｂページ提供部２０３は、Ｗｅｂページデータベース２０１を参照して、依頼者端末３に対して書籍入力ページのデータをネットワーク５経由で転送する（ステップＳ２０８）。
【００３５】
依頼者端末３のＷｅｂページ受信部３０３が出版管理サーバ２から書籍入力ページのデータを受信すると、受信結果に基づいて、図１０に一例を示す書籍入力ページが表示部３０４に表示される（ステップＳ２０９）。
図１０は書籍入力ページの一例を示す図である。この書籍入力ページには、オンデマンドにより購入可能な書籍（品目）の一覧が表示されている。そして、書籍の情報として、書名、著者など、価格（税抜）、発売日、シリーズ、ＩＳＢＮが掲載されている。書名にはリンクが張られており、所望の書名を押下するとそれに対応する章・部数入力ページに移る。
【００３６】
制作依頼者は、依頼者端末３の表示部３０４に表示された書籍入力ページ上の購入を希望するリンクが張られた書名を入力部３０１を構成するマウスを利用して押下する（ステップＳ２１０）。この入力操作の後、依頼者端末３のＷｅｂページ要求部３０２は出版管理サーバ２に対して押下された書名に対応した章・部数入力ページの転送要求を行う（ステップＳ２１１）。
出版管理サーバ２のＷｅｂページ要求受信部２０２が依頼者端末３から章・部数入力ページの転送要求を受信すると、Ｗｅｂページ提供部２０３は、Ｗｅｂページデータベース２０１を参照して、依頼者端末３に対して、依頼者が購入を希望した書籍に対応した章・部数入力ページのデータをネットワーク５経由で転送する（ステップＳ２１２）。
【００３７】
依頼者端末３のＷｅｂページ受信部３０３が出版管理サーバ２から制作依頼者が購入を希望した書籍に対応する章・部数入力ページのデータを受信すると、受信結果に基づいて、図１１に一例を示す章・部数入力ページが表示部３０４に表示される（ステップＳ２１３）。
図１１は章・部数入力ページの一例を示す図である。章・部数入力ページには、指定された書籍に含まれる章の情報と、各章に対応したチェックボックス６３１とが含まれている。また、章・部数入力ページには、制作依頼者が購入を希望する数量（部数）を入力するための部数入力欄６３２が含まれている。さらに、出版に関して優先する内容（価格、納期、品質）を入力するための優先内容入力ページに移る際に押下される“出版希望”ボタン６３３が含まれている。さらに、書籍の総ページ数及び単価が表示される。
また、章・部数入力ページには“価格表”ボタン６３４が含まれている。この“価格表”ボタン６３４が制作依頼者により押下されると、書籍入力ページで入力した書籍に関して、印刷所毎のページ数当りの価格（税抜き価格及び税込み価格の双方）の一覧表が表示部３０４に表示される。尚、この表示部３０４の表示は次のようにして行われる。依頼者端末３が出版管理サーバ２に対して価格の一覧表を要求する。この要求に対して出版管理サーバ２が価格情報データベース２１０に管理・格納している制作依頼者向けの価格情報を参照して、購入希望の書籍の印刷所毎のページ数当りの価格情報を依頼者端末３に対して送信する。依頼者端末３は出版管理サーバ２から価格情報を受信し、受信結果に基づいて表示部３０４に一覧表を表示する。
【００３８】
制作依頼者は、入力部３０１を構成するマウスを利用して、依頼者端末３の表示部３０４に表示された章・部数入力ページ上のチェックボックス６３１のうち希望する章に対応するチェックボックスにチェックを入れる。これとともに、制作依頼者は、マウスを利用して、章・部数入力ページ上の部数入力欄６３２に希望部数を入力する。その後、制作依頼者は、マウスを利用して、“出版希望”ボタンを押下する（ステップＳ２１４）。この入力操作の後、依頼者端末３のＷｅｂページ要求部３０２は出版管理サーバ２に対して優先内容入力ページの転送要求を行う（ステップＳ２１５）。
出版管理サーバ２のＷｅｂページ要求受信部２０２が依頼者端末３から優先内容入力ページの転送要求を受信すると、Ｗｅｂページ提供部２０３は、Ｗｅｂページデータベース２０１を参照して、依頼者端末３に対して優先内容入力ページのデータをネットワーク５経由で転送する（ステップＳ２１６）。
【００３９】
依頼者端末３のＷｅｂページ受信部３０３が出版管理サーバ２から優先内容入力ページのデータを受信すると、受信結果に基づいて、図１２に一例を示す優先内容入力ページが表示部３０４に表示される（ステップＳ２１７）。
図１２は優先内容入力ページの一例を示す図である。優先内容入力ページは、出版に際して制作依頼者が何を優先して依頼するかを入力するためのページである。この優先内容入力ページには、優先内容（価格、納期、品質）の情報と、優先内容の夫々に対応したラジオボタン６４１ａ、６４１ｂ、６４１ｃが含まれている。また、優先内容入力ページには、出版社に対して出版物を注文する際に押下される“注文”ボタン６４２が含まれている。
【００４０】
制作依頼者は、依頼者端末３の表示部３０４に表示された優先内容指定ページ上のラジオボタン６４１ａ、６４１ｂ、６４１ｃの何れかを入力部３０１を構成するマウスを利用して押下する。そして、制作依頼者は、“注文”ボタン６４２をマウスを利用して押下する（ステップＳ２１８）。この入力操作の後、依頼者端末３の注文部３０７は、出版管理サーバ２に対して、制作依頼者が書籍入力ページと章・部数入力ページとにおいて入力した注文内容（書籍名、章、部数）と優先内容入力ページにおいて入力した優先内容とをネットワーク５経由で送信する（ステップＳ２１９）。
【００４１】
出版管理サーバ２の注文受付部２１１が依頼者端末３からネットワーク５経由で注文内容と優先内容とを受信すると、発注先選定部２１２は、注文受付部２１１が受信した優先内容に基づいて、発注先の印刷所を決定する。ここでは、発注先選定部２１２は、優先内容が価格である場合には、発注先として印刷所端末４ａを備える印刷所を選ぶ。また、優先内容が納期である場合には、発注先として印刷端末４ｂを備える印刷所を選ぶ。さらに、優先内容が品質である場合には、発注先として印刷所端末４ｃを備える印刷所を選ぶ（ステップＳ２２０）。
続いて、発注内容生成部２１３は、上述の手順により、発注内容（書籍名、章、及び部数と、配送先の氏名又は名称、住所、及び電話番号と、一部当りの価格及び総部数の価格とを含む）を生成する（ステップＳ２２１）。
【００４２】
優先内容が価格である場合には、発注部２１４は、ステップＳ２２０において選ばれた印刷所の印刷所端末４ａに対して、ステップＳ２２１において生成された発注内容を送信する（ステップＳ２２２）。印刷端末４ａが発注内容を受信すると、印刷所は出版物を制作して、配送先へ配送する（ステップＳ２２５）。
優先内容が納期である場合には、発注部２１４は、ステップＳ２２０において選ばれた印刷所の印刷所端末４ｂに対して、ステップＳ２２１において生成された発注内容を送信する（ステップＳ２２３）。印刷端末４ｂが発注内容を受信すると、印刷所は出版物を制作して、配送先へ配送する（ステップＳ２２６）。
優先内容が品質である場合には、発注部２１４は、ステップＳ２２０において選ばれた印刷所の印刷所端末４ｃに対して、ステップＳ２２１において生成された発注内容を送信する（ステップＳ２２４）。印刷端末４ｃが発注内容を受信すると、印刷所は出版物を制作して、配送先へ配送する（ステップＳ２２７）。
【００４３】
以上説明したように本実施の形態のオンデマンド出版システムによれば、依頼者が依頼者端末３を利用して入力した注文内容に基づいて印刷所への発注内容が生成されるため、出版社で働く社員自らが注文内容に基づいて印刷所に対して発注する作業を行う必要がなくなって、出版社における業務負担が軽減される。
また、制作依頼者は出版に関する希望（価格、納期、品質）を指定することができるので、制作依頼者の出版に関する希望を満足させることが可能になる。
【００４４】
なお、図２、図３、図４における処理部の機能を実現するためのプログラムをコンピュータ読み取り可能な記録媒体に記録して、この記録媒体に記録されたプログラムをコンピュータシステムに読み込ませ、実行することにより制作依頼者登録処理や出版物注文処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４６】
以上、本発明の好適な実施の形態について説明したが、本発明は上述の実施の形態に限られるものではなく、特許請求の範囲に記載した限りにおいて様々な設計変更が可能なものになっている。
【図面の簡単な説明】
【００４７】
【図１】実施の形態におけるオンデマンド出版システムの構成の概略を示す図。
【図２】オンデマンド出版システムの依頼者端末の機能を説明するための機能図。
【図３】オンデマンド出版システムの出版管理サーバの機能を説明するための機能図。
【図４】オンデマンド出版システムの印刷所端末の機能を説明するための機能図。
【図５】オンデマンド出版システムにおいて行われる制作依頼者登録処理の流れを示すシーケンス図。
【図６】出版社のホームページの一例を示す図。
【図７】登録ページの一例を示す図。
【図８】オンデマンド出版システムにおいて行われる出版物注文処理の流れを示すシーケンス図（その１）。
【図９】オンデマンド出版システムにおいて行われる出版物注文処理の流れを示すシーケンス図（その２）。
【図１０】書籍入力ページの一例を示す図。
【図１１】章・部数入力ページの一例を示す図。
【図１２】優先内容入力ページの一例を示す図。
【符号の説明】
【００４８】
１  オンデマンド出版システム
２  出版管理サーバ
３  依頼者端末
４  印刷所端末
２０９  注文受付部
２１０  発注内容生成部
２１１  発注先選定部
２１２  発注部
３０１  入力部
３０７  注文部
４０２  発注受付部
【図１】
2005038286.tif 000003
【図２】
2005038286.tif 000004
【図３】
2005038286.tif 000005
【図４】
2005038286.tif 000006
【図５】
2005038286.tif 000007
【図６】
2005038286.tif 000008
【図７】
2005038286.tif 000009
【図８】
2005038286.tif 000010
【図９】
2005038286.tif 000011
【図１０】
2005038286.tif 000012
【図１１】
2005038286.tif 000013
【図１２】
2005038286.tif 000014